(57)【要約】      （修正有）【課題】設置場所を選ばない扇風機を提供する。【解決手段】台座に支柱を立て、支柱の頂上部に、ファン、ファンの収納部、ファンの駆動機構、および、駆動機構の収容部を設けてなる扇風機において、台座が、クリップを構成する上クリップベース部材および下クリップベース部材、上クリップベース部材に積層され装置全体を支持するための支持部材からなり、支持部材は、支柱を中心に支持位置から収納位置まで回動自在に設けられるとともに、下クリップベース部材には、壁面に設けられた突起部材に係合するための孔が１つ以上設けた。【選択図】図１
0003118699.tif 000002
【実用新案登録請求の範囲】
【請求項１】
台座に支柱を立て、当該支柱の頂上部に、ファン、当該ファンの収納部、前記ファンの駆動機構、および、当該駆動機構の収容部を設けてなる扇風機において、
前記台座が、クリップを構成する上クリップベース部材および下クリップベース部材、前記上クリップベース部材に積層され装置全体を支持するための１つ以上の支持部材からなり、
前記支持部材は、前記支柱を中心に支持位置から収納位置まで回動自在に設けられるとともに、
前記下クリップベース部材には、壁面に設けられた突起部材に係合するための孔が１つ以上設けられていることを特徴とする扇風機。
【請求項２】
前記支持部材が収納位置に移動している状態で、前記上クリップベース部材と下クリップベース部材により、板部材を挟み込み、装置を固定可能にすることを特徴とする請求項１記載の扇風機。
【考案の詳細な説明】
【技術分野】
【０００１】
本考案は、台座に支柱を立て、当該支柱の頂上部に、ファン、当該ファンの収納部、前記ファンの駆動機構、および、当該駆動機構の収容部を設けてなる扇風機に関する。
【背景技術】
【０００２】
従来、小型で主に卓上などで使用する扇風機には、装置の支持機構としてクリップを設け、このクリップで机の端部や支持板などに挟み込み、装置を取り付けるようにしていた。
【０００３】
ところが、このような扇風機では、机やテーブルによってはクリップを挟み込むことができる部分がないものがあり、取り付ける箇所がなく困る場合があった。
【０００４】
そこで、クリップを着脱できるスタンドを設け、卓上に設置する扇風機として利用できるようにしたものが提案されている（特許文献１参照）。
【特許文献１】特開２００２−２２１１８５号公報
【考案の開示】
【考案が解決しようとする課題】
【０００５】
しかしながら、このような従来装置では、壁面に設置することができず、扇風機の使い勝手を大きく阻害するものであった。
【０００６】
本考案は、かかる実情に鑑みてなされたものであり、設置場所を選ばない扇風機を提供すること目的とする。
【課題を解決するための手段】
【０００７】
本考案は、台座に支柱を立て、当該支柱の頂上部に、ファン、当該ファンの収納部、前記ファンの駆動機構、および、当該駆動機構の収容部を設けてなる扇風機において、前記台座が、クリップを構成する上クリップベース部材および下クリップベース部材、前記上クリップベース部材に積層され装置全体を支持するための支持部材からなり、前記支持部材は、前記支柱を中心に支持位置から収納位置まで回動自在に設けられるとともに、前記下クリップベース部材には、壁面に設けられた突起部材に係合するための孔が１つ以上設けられているものである。
【０００８】
また、前記支持部材が収納位置に移動している状態で、前記上クリップベース部材と下クリップベース部材により、板部材を挟み込み、装置を固定可能にするようにしたものである。
【考案の効果】
【０００９】
したがって、本考案によれば、扇風機本体をクリップで固定できるとともに、壁面に設けた突起部材に取り付けることができるので、扇風機の設置の自由度が増し、使いやすくなるという効果を得る。
【考案を実施するための最良の形態】
【００１０】
以下、添付図面を参照しながら、本考案の実施の形態を詳細に説明する。
【００１１】
図１は、本考案の一実施例にかかる扇風機の一例を示している。
【００１２】
同図において、ファンを駆動するモータ等を収納した筺体１の前面には、ファンを収納したファン収納部２が設けられており、筺体１の下部には、筺体１およびファン収納部２を支持するための柱部材３が、連結部材３ａを介して接続されている。
【００１３】
柱部材３の基部は、柱部材３に回動自在に設けられた上支持部材４、下支持部材５、および、クリップ支持部材を構成する上クリップベース部材６および下クリップベース部材７により支持されている。
【００１４】
また、連結部材３ａにより、柱部材３の軸を含む略平面上を回動する態様に、筺体１を回動させることができる。また、詳述しないが、筺体１には、首振り機構も設けられており、筺体１から突出している操作棒１ａを操作することで、首振り機構の動作をオンオフすることができる。
【００１５】
この扇風機を卓上に設置する際には、同図に示すように、上支持部材４と下支持部材５を、上クリップベース部材６と所定の回動角をなすように、柱部材３を中心に回動させる（支持位置）。この状態では、上支持部材４、下支持部材５および上クリップベース部材６がそれぞれ卓上面に接し、扇風機を支持している。
【００１６】
一方、上支持部材４と下支持部材５をそれぞれ図示の矢印方向へ、柱部材３を中心に回動させることで、図２に示すように、上支持部材４と下支持部材５をクリップ支持部材、すなわち、上クリップベース部材６および下クリップベース部材７と重なる態様（収納位置）に移動することができる。
【００１７】
この状態では、上クリップベース部材６および下クリップベース部材７により、卓の端部や、適当な板部材を挟み込むことで、扇風機を卓上や板部材に設置することができる。
【００１８】
また、図２に示すように、下クリップベース部材７の下面には、係合孔７ａ，７ｂが形成されており、この係合孔７ａ，７ｂを、図３に示すように、壁面１００に設けた突起部材１０１，１０２に係合させることで、図４に示すように、扇風機を壁面１００に固定することができる。
【００１９】
なお、突起部材１０１，１０２としては、頭部が張り出しているネジなどを用いることができる。
【００２０】
このようにして、本実施例では、上支持部材４と下支持部材５を支持位置へ移動し、上支持部材４、下支持部材５、および、上クリップベース部材６で扇風機を卓上に支持する態様に設置したり、あるいは、上支持部材４と下支持部材５を収納位置へ移動し、上クリップベース部材６および下クリップベース部材７により板部材の端部を挟み込んで固定する態様に設置したり、あるいは、その状態で、下クリップベース部材７の係合孔７ａ，７ｂを、壁面１００に設けた突起部材１０１，１０２に係合させて壁面１００に固定する態様に設置することができる。
【００２１】
このように、本実施例では、多様な態様で扇風機を設置することができる。
【００２２】
なお、上述した実施例では、柱部材３に対して回動自在に移動する支持部材を２つ（上支持部材４および下支持部材５）設けているが、この数は、３以上にすることも可能である。
【００２３】
また、上述した実施例では、下クリップベース部材７の長手方向に配列する態様に係合孔７ａ，７ｂを形成しているが、長手方向と直交する方向に複数の係合孔を配列させるようにすることもできる。また、係合孔を設ける数は、３以上であっても良い。
【図面の簡単な説明】
【００２４】
【図１】本考案の一実施例にかかる扇風機の一例を示した概略斜視図。
【図２】本考案の一実施例にかかる扇風機の一例を示した概略底面図。
【図３】壁面に扇風機を設置する場合を説明するための概略部分断面図。
【図４】壁面への扇風機の設置態様の一例を示した概略斜視図。
【符号の説明】
【００２５】
１  筺体
２  ファン収納部
３  柱部材
３ａ  連結部材
４  上支持部材
５  下支持部材
６  上クリップベース部材
７  下クリップベース部材
【図１】
0003118699.tif 000003
【図２】
0003118699.tif 000004
【図３】
0003118699.tif 000005
【図４】
0003118699.tif 000006